(57)【要約】【課題】できるだけ簡便な構造で、製造コストを安価に抑えることを可能にしつつも、芳香の強さを自由に調節することができる一方で、芳香の持続性・常時性を兼ね備えた芳香機能付きスプレーボトルを提供すること。【解決手段】芳香液を収納し、スプレーキャップを取り付ける開口を有する容器と、芳香液を噴霧可能なスプレーキャップとを有し、容器自体は、芳香液を含浸する微細多孔性部材により構成され、容器の一部が、コーティング部材により微細多孔性部材の小孔がふさがれていることからなる。【選択図】図１
0003169955.tif 000002
【実用新案登録請求の範囲】
【請求項１】
芳香液を収納し、スプレーキャップを取り付ける開口を有する容器と、
芳香液を噴霧可能なスプレーキャップとを有し、
容器自体は、芳香液を含浸する微細多孔性部材により構成され、
容器の一部が、コーティング部材により微細多孔性部材の小孔がふさがれていることを特徴とする
芳香機能付きスプレーボトル。
【請求項２】
前記微細多孔性部材がセラミックスであることを特徴とする請求項１に記載の芳香機能付きスプレーボトル。
【請求項３】
前記微細多孔性部材が素焼の陶器であることを特徴とする請求項１に記載の芳香機能付きスプレーボトル。
【請求項４】
前記容器の一部は、容器を平らな台に設置した時の接地面及び側面の一部であることを特徴とする請求項１ないし請求項３のいずれか１項に記載の芳香機能付きスプレーボトル。
【考案の詳細な説明】
【技術分野】
【０００１】
本考案は、芳香機能付きスプレーボトルに関する。より具体的には、芳香スプレーであると同時に、芳香の常時徐放機能を有しているスプレーボトルに関する。
【背景技術】
【０００２】
従来より、芳香液を拡散させる器具が知られている。これらの芳香器具は、消臭や殺菌のために利用されるだけではなく、芳香成分を用いて心身の健康や美容を増進するために利用されたり、生活に香りを取り入れてストレスを解消したり心身をリラックスさせるために利用されることもある。このように芳香は多用な目的に利用されるものであるが、その目的に応じて、必要とされる香りの強さや、持続させたい時間は各々異なる。
【０００３】
そして、従来より一般的に知られているスプレー式の芳香器具では、芳香が一時的に拡散するのみで、持続性に乏しい。一方、芳香液が浸透性のある素材から徐々に発散されていく、ポプリなどの芳香器具では、持続性や常時性は保てるがスプレーのように香りを強く拡散させることができない。
【０００４】
このため、例えば特許文献１には、スプレーした芳香を一時的に浸透性のある材質に吹きつけ、これにより一時的に貯蔵されている芳香液等を熱風により気化して拡散させる技術が開示されている。しかし、この技術では、熱風を当てる器具が必要とされるだけでなく、少なくともスプレーとは別に浸透性のある保持板を用意しなければならないので、家庭用や店舗用において簡便に使用できるものではなく、また製造コストも高くなってしまう。
【０００５】
同様に、特許文献２にも、スプレーした芳香を一時的に浸透性のある材質に吹きつけ、これにより一時的に貯蔵されている芳香液が徐々に拡散させる装置が開示されている。しかし、この技術においても、スプレー器具とは別に浸透性のある保持部を設けなければならず、構成が複雑で製造コストが高い。また一時的にのみ芳香液が保持されるため、常時性を維持することができない。
【先行技術文献】
【特許文献】
【０００６】
【特許文献１】特開平８−１５５０１７号公報
【特許文献２】特開２０００−２６２９３３号公報
【考案の概要】
【考案が解決しようとする課題】
【０００７】
そこで、本考案は、できるだけ簡便な構造で、製造コストを安価に抑えることを可能にしつつも、芳香の強さを自由に調節することができる一方で、芳香の持続性・常時性を兼ね備えた芳香機能付きスプレーボトルを提供することを目的とする。
【課題を解決するための手段】
【０００８】
上記目的を達成するため、本考案の芳香機能付きスプレーボトルは、芳香液を収納し、スプレーキャップを取り付ける開口を有する容器と、芳香液を噴霧可能なスプレーキャップとを有し、容器自体は、芳香液を含浸する微細多孔性部材により構成され、容器の一部が、コーティング部材により微細多孔性部材の小孔がふさがれていることからなる。
また、前記微細多孔性部材がセラミックスであることが好適である。
また、前記微細多孔性部材が素焼の陶器であることが好適である。
また、前記容器の一部が、容器を平らな台に設置した時の接地面及び側面の一部であることが好適である。すなわち、容器を平らな台に設置した時の接地面及び側面の一部がコーティング部材により小孔がふさがれていることが好適である。
【０００９】
本考案においては、芳香液を収納するスプレーボトルの容器自体を、芳香液を含浸する微細多孔性部材から構成したものである。すなわち、スプレーボトルであるにもかかわらず、容器自体を浸透性のある部材で構成し、芳香液が容器自体に含浸するものである。したがって、含浸されている芳香液は、容器自体から徐々に揮発・拡散するので、特に何もしなくても一定の芳香が常に発生し、持続性・常時性を保つことができる。このため、微細多孔性部材は、芳香液を含浸できるものであればよく、例えば一般的なセラミックにより構成されることができる。なお、本考案におけるセラミックスとは、土を焼いた窯業製品を意味し、陶磁器を含む広い概念である。
【００１０】
さらに、微細多孔性部材が素焼きの陶器であれば、芳香液の含浸を適切に行うことが出来るだけでなく、製造の容易さ、デザインバリエーションの自由度の高さ、コスト的な有利さといった利点を得ることができる。素焼きの温度は、通常の素焼きと同様に素材や形状により異なるが、日本国内では一般的に８００度程度で行われる。
【００１１】
本考案においては、容器自体に芳香液が含浸するので、普通に触れたり、机に置いてしまうと、手や机が濡れてしまう。そこで、容器の一部は、コーティング部材により微細多孔性部材の小孔がふさがれている。このコーティング部材は、典型的には釉薬である。ただし、小孔をふさぎ外側が濡れないことが出来れば、化学的な他のコーティング部材としても良い。
上記の観点から、容器を平らな台に置いた場合の接地面と側面の一部がコーティングされていれば、台に置くことにも、持ち運びすることにも問題が無い。
【００１２】
容器はスプレーキャップを取り付けるための開口部を有している。これは通常のスプレーボトルの場合と同様であり、市販の様々なタイプのスプレーキャップを使用することができる。例えば、一般に市販されている、チューブ及びプレーノズルと、ネジ式のキャップと押圧部を備えた、プッシュ式のスプレーキャップを使用することが出来る。これにより、本考案のスプレーボトルは、構成が簡便であるにもかかわらず、持続的かつ常時的に芳香が発生しており、なおかつ使用者は芳香液をスプレーすることで、芳香液を自由に噴霧し、芳香の強さを調節できるものである。
なお、本考案のスプレーボトルに利用できる芳香液とは、消臭液等を含む広い概念であり、微細多孔性部材に含浸されるものであれば良い。
【考案の効果】
【００１３】
本考案の以上の構成により、簡便な構造で、製造コストを安価に抑えることを可能にしつつも、芳香の強さを自由に調節することができる一方で、芳香の持続性・常時性を兼ね備えた芳香機能付きスプレーボトルを提供することが出来る。さらに、芳香液の種類や容器の形状も、様々なものを利用することが出来、汎用性の高いものである。
【図面の簡単な説明】
【００１４】
【図１】本考案に係るスプレーボトルの一例を示す図である。
【考案を実施するための形態】
【００１５】
以下、図面に従って本考案の実施例を説明する。
図１は、本考案に係るスプレーボトルの一例を示す図である。
スプレーボトル１の容器２は、微細多孔（図示せず）を有する素焼きの陶器より構成されている。そして、容器２の底部および側面の下部には、釉薬３が塗られ、微細多孔の小孔がコーティングされふさがれている。容器２の上部には、ネジ式の開口が設けられてスプレーキャップ４が設けられている。スプレーキャップ４は、チューブ５及びプレーノズル６と、ネジ式のキャップ７と押圧部８により構成されている。
【００１６】
容器２には芳香液が含浸されているので、容器２自体から常に芳香液が発散して、持続的・常時的に芳香が発生している。使用者は、より強い芳香が必要であったり、特定の場所に芳香液を吹き付けたい場合は、釉薬３が塗られてコーティングされた部分を持ち、所望の場所まで運んで、スプレーキャップ４を押して芳香液を所望の量だけ噴霧すればよい。
【符号の説明】
【００１７】
１  スプレーボトル
２  容器
３  釉薬
４  スプレーキャップ
５  チューブ
６  プレーノズル
７  キャップ
８  押圧部
【図１】
0003169955.tif 000003